(57)【要約】【課題】  取り扱い及び選択等の管理に気を使う必要のないネクタイクリップを提供する。【解決手段】  回転軸１０３ａを中心として開閉し、係止状態からスプリング１０５の付勢力に抗して閉じるつまみ部１０１と、つまみ部１０１の開閉に応じて回転軸１０３ａを中心に開閉する挟持部１０２を有するネクタイクリップであって、挟持部１０２は、一対のアーム部材１０２ａ及び１０２ｂからなり、該一対のアーム部材の一方１０２ａがピンにより構成されている。【選択図】図１
2007203006.tif 000002
【特許請求の範囲】
【請求項１】
回転軸を中心として開閉し、係止状態からスプリングの付勢力に抗して閉じるつまみ部と、前記つまみ部の開閉に応じて前記回転軸を中心に開閉する挟持部を有し、
前記挟持部は、一対のアーム部材からなり、前記一対のアーム部材の一方がピンからなることを特徴とするネクタイクリップ。
【請求項２】
前記挟持部の他方のアーム部材の先端部付近が、前記ピンの側にカーブしていることを特徴とする請求項１記載のネクタイクリップ。
【請求項３】
前記ピンは、前記回転軸に直交する平面に投影した形状がアーチ形であることを特徴とする請求項１又は２記載のネクタイクリップ。
【請求項４】
前記回転軸をｘ軸とし、前記ピンの先端と他方のアームとの接点を通り前記ｘ軸と直交する軸をｙ軸とし、前記ｘ軸及びｙ軸を含む平面をｘｙ平面とすると、前記つまみ部は前記ｘｙ平面に対して前記ピン側の第１つまみ部材及び前記ｘｙ平面に対して前記他方のアーム側の第２つまみ部材とを具備し、前記第２つまみ部材のｙ軸方向最端部から前記ｘｙ平面までの距離が、前記第１つまみ部材のｙ軸方向最端部から前記ｘｙ平面までの距離より長いことを特徴とする請求項１〜３のうち１項記載のネクタイクリップ。
【発明の詳細な説明】
【技術分野】
【０００１】  本発明はネクタイをワイシャツに止めるネクタイクリップに関する。
【背景技術】
【０００２】  一般にネクタイクリップは、太い側と細い側を重ねたネクタイとワイシャツのボタン穴とボタン穴の間の布地を外側から挟むことにより、ネクタイをワイシャツに止める。ネクタイクリップを装着することにより、ネクタイは強風の場合でも乱れることがなく、例えばトイレの洗面台で手を洗う際に、ネクタイの先端が洗面台に触れて汚れることを防ぐことができる。ネクタイクリップは様々の形状に製作され、装着した時に表側となる面には一般に様々な装飾が施されている。
【発明の開示】
【発明が解決しようとする課題】
【０００３】  ネクタイクリップを装着して、例えば満員電車に乗車した場合、ネクタイクリップの高価な装飾部に傷がついたり、装飾部が破損したり、あるいはネクタイクリップがはずれてネクタイクリップを紛失することもある。また、複数のネクタイ及び複数のネクタイクリップを所有している人の中には、ネクタイの柄あるいは幅に適したネクタイクリップを選ぶことを煩わしく感じる人もいる。更にこのようなネクタイクリップの取り扱い及び選択等の管理を煩雑と感じて、ネクタイクリップを使用しない人もいる。【０００４】  従って本発明は、取り扱い及び選択等の管理に気を使う必要のないネクタイクリップを提供することを主要な目的とする。
【課題を解決するための手段】
【０００５】  本発明に係るネクタイクリップは、回転軸を中心として開閉し、係止状態からスプリングの付勢力に抗して閉じるつまみ部と、前記つまみ部の開閉に応じて前記回転軸を中心に開閉する挟持部を有し、前記挟持部は、一対のアーム部材からなり、前記一対のアーム部材の一方がピンからなる。
【発明の効果】
【０００６】  取り扱い及び選択等の管理に気を使う必要のないネクタイクリップが提供される。
【発明を実施するための最良の形態】
【０００７】  以下、図面を参照して本発明の実施形態を説明する。【０００８】  図１は本発明の１実施形態に係るネクタイクリップ１００を示し、図１（ａ）は平面図、図１（ｂ）は側面図、図１（ｃ）は斜視図である。【０００９】  ネクタイクリップ１００は、つまみ部１０１、挟持部１０２、軸１０３、軸受け１０４、及びコイルスプリング１０５を具備する。つまみ部１０１は、一対のつまみ部材１０１ａ、１０１ｂを含み、つまみ部材１０１ａには軸受け１０４ａが設けられ、つまみ部材１０１ｂには軸受け１０４ｂが設けられている。挟持部１０２は一対のアーム部材１０２ａ、１０２ｂを含み、一方のアーム部材１０２ａはピンにより構成されている。つまみ部材１０１ａとアーム部材１０２ａと軸受け１０４ａは一体に形成され、つまみ部材１０１ｂとアーム部材１０２ｂと軸受け１０４ｂも一体に形成されている。コイルスプリング１０５には軸１０３が貫通し、スプリング１０５の端部１０５ａ、１０５ｂはつまみ部１０１の内側に押し当てられている。スプリング１０５はねじりばねとして作用している。従って、つまみ部１０１はスプリング１０５により、開く方向に付勢されている。尚、凹み１０２ｄはアーム部材１０２ｂの剛性を高めるためのものであり、例えばプレス加工により形成される。【００１０】  つまみ部１０１に、例えば親指と人指し指で図中矢印Ａ、Ｂ方向に力を与えると、つまみ部材１０１ａ、１０１ｂは回転軸１０３ａを中心として、つまみ部１０１が閉じる方向に回転する。この回転に伴って、挟持部１０２は図１（ｂ）の閉じた状態（係止状態）から図１（ｃ）の開いた状態となる。【００１１】  すなわち、本発明の一実施形態に係るネクタイクリップ１００は  回転軸１０３ａを中心として開閉し、図１（ｂ）に示す係止状態からスプリング１０４の付勢力に抗して閉じるつまみ部１０１と、つまみ部１０１の開閉に応じて回転軸１０３を中心に開閉する挟持部１０２を具備し、挟持部１０２は一対のアーム部材１０２ａ、１０２ｂからなり、該一対のアーム部材の一方がピンからなる（以下、アーム部材１０２ａをピン１０２ａともいう）。また、挟持部１０２の他方のアーム部材１０２ｂの先端部付近１０２ｃが、ピン１０２ａの側にカーブしている。【００１２】  図２〜図４は本発明に係るネクタイクリップ１００を装着した様子を示す図である。【００１３】  ネクタイクリップ１００を用いて、ネクタイ２００をワイシャツ３００に止めると、ネクタイクリップ１００はネクタイの太い側２０１に隠れ、外からは見えない。図２は、ネクタイクリップ１００の装着位置を示すために、ネクタイクリップ１００が点線で示されている。【００１４】  図３はネクタイの太い側２０１の端部をめくり、ネクタイクリップ１００を露出させた状態を示し、図４は図３におけるネクタイクリップ１００付近の拡大図である。【００１５】  図４に示すように、ネクタイクリップ１００はピン１０２ａをネクタイの太い側２０１の裏側の縫い目２０３に挿入され、ネクタイの太い側２０１と細い側２０２をまとめてワイシャツ３００のボタン穴とボタン穴の間の布地に止めることができる。このように挟持部１０２の一方のアーム部材１０２ａがピンにより構成されている���で、アーム部材１０２ａを容易にネクタイ裏側の布目に挿入することができる。【００１６】  また、アーム部材１０２ｂの先端部付近１０２ｃが、ピン１０２ａの側にカーブしていることにより、ネクタイクリップ１００の装着時、ワイシャツのボタンが縫い付けられた側の布地と、ボタン穴が設けられた側の布地との間に、アーム部材１０２ｂをスムーズに挿入することができる。尚、このアーム部材１０２ｂの挿入時又はその後、ピン１０２ａがネクタイの太い側の縫い目２０３に挿入される。【００１７】  本発明に係るネクタイクリップ１００は、例えば鋼鉄、ステンレス鋼等の安価な鋼材を主要材料とすることができ、構造及び形状が簡単なために、従来のネクタイクリップに比べ安価に製造できる。更に、装着時に表面が外部に露出しないため、傷が付き難く、ネクタイの柄あるいは幅に適したネクタイクリップを選ぶ必要がなく、市販されているほぼ全てのネクタイに使用可能である。すなわち、ネクタイクリップの取り扱いや選択に気を使う必要がほとんどない。【００１８】  また、図２に示すようなネクタイクリップの装着位置は、従来のクリップであれば外観上低すぎる位置であると言える。しかし、例えば駅のトイレの洗面台で、上半身を前方に傾けて手を洗う際、この装着位置は低い方がネクタイの先端が洗面台に触れにくく、ネクタイが汚れるのを防ぐことができる。ネクタイクリップ１００は、ネクタイの太い側の裏側の縫い目の任意位置に装着でき、装着時、ネクタイの太い側で隠れて見えない。従って、図２に示すような位置あるいは更に下方の位置に装着しても外観上の問題はなく、洗面台によりネクタイが汚れるのを防ぐことができる。また装着時、ネクタイクリップ１１０は見えないので、各ネクタイの柄あるいはデザインの良さがネクタイクリップにより損なわれることがなく、すっきりした外観を提供できる。【００１９】  図５は本発明の第２実施形態に係るネクタイクリップ１１０を示し、図５（ａ）は平面図、図５（ｂ）は側面図、図５（ｃ）は斜視図である。【００２０】  図５（ａ）に示すネクタイクリップ１１０の平面図は、図１（ａ）のネクタイクリップ１００と同様である。図５（ｂ）のように、ネクタイクリップ１１０の一方のアーム部を構成するピン１１２ａは、回転軸１０３ａに直交する平面（図示されず）に投影した形状がアーチ形又はくの字形であって、その先端部１１２ｃは他方のアーム１１２ｂにスプリング１０５による付勢力に対応する力で当接している。尚、ネクタイクリップ１１０の装着時の様子は、図２〜図４のネクタイクリップ１００の場合と同様である。【００２１】  一般に、例えば満員電車に乗車中、ネクタイクリップ装着者がその前の人に強く押し付けられた状態で、装着者の体とその前の人の体がずれると、ネクタイの位置がずれたり、ネクタイクリップがネクタイごとワイシャツから外れることがある。しかし、本発明によるネクタイクリップ１１０の場合、ネクタイクリップ１１０を図２のように装着した状態で満員電車に乗車したとき、例えば前の人の背中によりアーチ形ピン１１２ａの頂上付近１１２ｄには、ネクタイの太い側２０１の表側布地を介して力Ｆが矢印の方向に加わる。この力Ｆによりピン１１２ａの先端部���１２ｃは他方のアーム１１２ｂ側に押し付けられる。ネクタイクリップ１１０の装着時、ピン１１２ａの先端部１１２ｃと他方のアーム１１２ｂの間には、ネクタイの太い側２０１の裏側布地と、細い側２０２の布地と、ワイシャツ３００のボタン穴間の布地が挟まれており（図４参照）、他方のアーム１１２ｂの外側（図５（ｂ）では下側）はネクタイクリップ装着者の腹部に当接している。従って、アーチ形ピン１１２ａの頂上付近１１２ｄに加わる力Ｆにより、ネクタイクリップ１１０はスプリング１０５の付勢力による挟持力を超える挟持力により、ネクタイとワイシャツを挟むことができる。この結果、上記したようなネクタイのずれを効果的に防止することができる。【００２２】  図５（ｂ）及び図５（ｃ）のように、本発明によるネクタイクリップ１１０は、回転軸１０３ａをｘ軸とし、ピンの先端部１１２ｃと他方のアーム１１２ｂとの接点１１２ｅを通り前記ｘ軸と直交する軸をｙ軸とし、前記ｘ軸及びｙ軸を含む平面をｘｙ平面１１５とすると、つまみ部１１１はｘｙ平面１１５に対してピン１１２ａ側のつまみ部材１１１ａ及びｘｙ平面１１５に対して他方のアーム１１２ｂ側のつまみ部材１１１ｂとを具備し、つまみ部材１１１ｂのｙ軸方向最端部１１１ｄから前記ｘｙ平面までの距離１１６ｂが、つまみ部材１１１ａのｙ軸方向最端部１１１ｃから前記ｘｙ平面１１５までの距離１１６ａより長い。【００２３】  上記したように満員電車に乗車中、ネクタイクリップ装着者がその前の人に強く押し付けられると、ネクタイクリップ１１０には、ピンの頂上付近に加わる前述の力Ｆとともに、つまみ部材１１１ａのｙ軸方向最端部１１１ｃに力Ｆｓが加わる。この力Ｆｓは回転軸１１３ａを介して、挟持部１１２を開くように作用し、その結果、挟持部１１２の挟持力が弱まる。ここで、つまみ部材１１１ａの最端部１１１ｃと平面１１５との距離１１６ａが短いほど、力Ｆｓは小さくなり、挟持部１１２の挟持力減衰が小さい。【００２４】  しかし、距離１１６ａを短くした結果、つまみ部の最端部１１１ｃ及び１１１ｄ間の距離１１６ａ＋１１６ｂが、適切な距離より短くなると、つまみ部１１１をつまんで挟持部１１２を開いた時の開き方が不十分となり、ネクタイクリップ１１０の装着がしずらくなる。従って、最端部１１１ｃ及び１１１ｄ間の距離１１６ａ＋１１６ｂを適切な距離とするために、つまみ部の最端部１１１ｄの平面１１５までの距離１１６ｂは、最端部１１１ｃの平面１１５までの距離１１６ａより長い。【００２５】  以上説明したように、本発明の第２実施例に係るネクタイクリップ１１０は、満員電車に乗車して、ネクタイクリップ装着者が前の人に強く押し付けられ、装着者の体とその前の人の体がずれたような場合でも、ネクタイの位置がずれたり、ネクタイクリップがネクタイごとワイシャツから外れることはない。
【図面の簡単な説明】
【００２６】
【図１】  本発明の１実施形態に係るネクタイクリップ１００を示し、図１（ａ）は平面図、図１（ｂ）は側面図、図１（ｃ）は斜視図である。
【図２】  本発明に係るネクタイクリップ１００を装着したときの様子を示す図である。
【図３】  ネクタイの太い側２０１の端部をめくり、ネクタイクリップ１００を露出させた状態を示す図である。
【図４】  図３におけるネクタイクリップ１００付近の拡大図である。
【図５】  本発明の第２実施形態に係るネクタイクリップ１１０を示し、図５（ａ）は平面図、図５（ｂ）は側面図、図５（ｃ）は斜視図である。
【符号の説明】
【００２７】  １００、１１０…ネクタイクリップ、１０１、１１１…つまみ部、１０２、１１２…挟持部、１０２ａ、１１２ａ…ピン、１０３…軸、１０３ａ…回転軸、１０４…軸受け、１０５…コイルスプリング。
【図１】
2007203006.tif 000003
【図２】
2007203006.tif 000004
【図３】
2007203006.tif 000005
【図４】
2007203006.tif 000006
【図５】
2007203006.tif 000007